(57)【要約】【課題】構成部材数が少なく、組立が容易な両方向引出用スライドレール、それを備えた両方向引出付き収納装置の提供。【解決手段】第１の走行レール５、第２の走行レール６、第１の走行ローラ７および第２の走行ローラ８を含む固定側レール部材２と、長手方向に沿って両方向に移動可能に該固定側レール部材に係合する、第３の走行レール１３，第４の走行レール１４，第３の走行ローラ１５および第４の走行ローラ１６を含む移動側レール部材３とからなる両方向引出用スライドレール１。【選択図】　図１
2004049745.tif 000002
【特許請求の範囲】
【請求項１】
固定側レール部材と、長手方向に沿って両方向に移動可能に該固定側レール部材に係合する移動側レール部材とからなり、
前記固定側レール部材は、レール部材本体と、該レール部材本体の一面側にそれぞれ長手方向に沿って平行に突設された第１、第２の走行レールと、該第１の走行レールの一端部側と第２の走行レールの他端部側に隣接してレール部材本体に取り付けられた第１，第２の走行ローラとを含み、
前記移動側レール部材は、レール部材本体と、該レール部材本体の一面側にそれぞれ長手方向に沿って平行に突設された第３、第４の走行レールと、該第３の走行レールの一端部側と第４の走行レールの他端部側に隣接してレール部材本体に取り付けられた第３，第４の走行ローラとを含み、
前記固定側レール部材の一面側と前記移動側レール部材の一面側とを対向させた状態で組み合わせ、固定側レール部材に対して移動側レール部材を長手方向に沿う両方向のいずれか一方向に向けて移動させる時、前記第１または第２の走行ローラが前記第３または第４の走行レールに沿って走行し、前記第３または第４の走行ローラが前記第１または第２の走行レールに沿って走行し、
固定側レール部材に対して移動側レール部材を中立位置とした時、前記第１〜第４の走行ローラの少なくとも１つが、それと接する走行レールの長手方向終端から外れて移動停止状態となるように構成されたことを特徴とする両方向引出用スライドレール。
【請求項２】
請求項１記載の両方向引出用スライドレールの固定側レール部材を左右に対をなすように固定配置した収納装置本体と、請求項１記載の両方向引出用スライドレールの移動側レール部材を左右に固定した引出とを含むことを特徴とする両方向引出付き収納装置。
【発明の詳細な説明】
【０００１】
【発明の属する技術分野】
本発明は、両方向引出用スライドレールおよびそれを備えた両方向引出付き収納装置に関する。
【０００２】
【従来の技術】
従来、両方向に引出が可能なスライドレールとして、特開２０００−３４２３６５号公報に開示されたスライドレールが提案されている。
この従来のスライドレールは、固定側アウターメンバーと、これに対向して設けられた移動側アウターメンバーと、固定側アウターメンバーと移動側アウターメンバー間に嵌挿自在に設けられたインナーメンバーと、固定側アウターメンバーとインナーメンバー間に設けられた内側リテーナと、インナーメンバーと移動側アウターメンバー間に設けられた外側リテーナと、固定側アウターメンバーとインナーメンバー間で内側リテーナに回転自在に保持された多数のボールと、インナーメンバーと移動側アウターメンバー間で外側リテーナに回転自在に保持されたボールと、インナーメンバーの前後端部に設けられた突出防止ストッパーとを備えて構成されている。
【０００３】
【発明が解決しようとする課題】
しかしながら、上記従来例のスライドレールは、固定側アウターメンバーと移動側アウターメンバーの間に、インナーメンバーと、内側リテーナと、外側リテーナとを挟み込んだ構造になっており、構成部材数が多く必要であり、製造コストが増加する問題があった。また、多くの構成部材を用いて組み立てるために、組立時作業が煩雑で多くの手間を要するため、製作コストも増加する問題があった。
【０００４】
本発明は上記事情に鑑みてなされたもので、構成部材数が少なく、組立が容易な両方向引出用スライドレール、それを備えた両方向引出付き収納装置の提供を目的とする。
【０００５】
【課題を解決するための手段】
前記目的を達成するために、本発明は、固定側レール部材と、長手方向に沿って両方向に移動可能に該固定側レール部材に係合する移動側レール部材とからなり、前記固定側レール部材は、レール部材本体と、該レール部材本体の一面側にそれぞれ長手方向に沿って平行に突設された第１、第２の走行レールと、該第１の走行レールの一端部側と第２の走行レールの他端部側に隣接してレール部材本体に取り付けられた第１，第２の走行ローラとを含み、前記移動側レール部材は、レール部材本体と、該レール部材本体の一面側にそれぞれ長手方向に沿って平行に突設された第３、第４の走行レールと、該第３の走行レールの一端部側と第４の走行レールの他端部側に隣接してレール部材本体に取り付けられた第３，第４の走行ローラとを含み、前記固定側レール部材の一面側と前記移動側レール部材の一面側とを対向させた状態で組み合わせ、固定側レール部材に対して移動側レール部材を長手方向に沿う両方向のいずれか一方向に向けて移動させる時、前記第１または第２の走行ローラが前記第３または第４の走行レールに沿って走行し、前記第３または第４の走行ローラが前記第１または第２の走行レールに沿って走行し、固定側レール部材に対して移動側レール部材を中立位置とした時、前記第１〜第４の走行ローラの少なくとも１つが、それと接する走行レールの長手方向終端から外れて移動停止状態となるように構成されたことを特徴とする両方向引出用スライドレールを提供する。
また本発明は、前記両方向引出用スライドレールの固定側レール部材を左右に対をなすように固定配置した収納装置本体と、前記両方向引出用スライドレールの移動側レール部材を左右に固定した引出とを含むことを特徴とする両方向引出付き収納装置を提供する。
【０００６】
【発明の実施の形態】
以下、本発明を図面を参照して説明する。
図１は、本発明による両方向引出用スライドレールの一実施形態を示す図である。この両方向引出用スライドレール１は、固定側レール部材２と、長手方向に沿って両方向に移動可能に該固定側レール部材２に係合する移動側レール部材３とからなっている。なお、この両方向引出用スライドレール１は、引出を取り付ける際に収納装置本体側の左右に離間配置される１対のうちの一方であり、対をなす他方の両方向引出用スライドレールの固定側レール部材２及び移動側レール部材３はレールやローラの配置は以下に例示するそれらと対称状態としてもよいし同一であってもよい。
【０００７】
固定側レール部材２は、炭素鋼やステンレス鋼などの金属からなる長板状の固定側レール部材本体４と、該固定側レール部材本体４の一面側にそれぞれ長手方向に沿って平行に突設された第１の走行レール５及び第２の走行レール６と、該第１の走行レール５の一端部側に隣接して固定側レール部材本体４に取り付けられた第１の走行ローラ７と、第２の走行レール６の他端部側に隣接して固定側レール部材本体４に取り付けられた第２の走行ローラ８と、該第１の走行レール５と第２の走行レール６との間にそれらと平行に突設された補助レール９と、固定側レール部材本体４の幅方向両端を折曲して形成されたカバー部１０，１１とから構成されている。第１，第２の走行ローラ７，８は合成樹脂で形成される。
【０００８】
移動側レール部材３は、炭素鋼やステンレス鋼などの金属からなる長板状の移動側レール部材本体１２と、該移動側レール部材本体１２の一面側にそれぞれ長手方向に沿って平行に突設された第３の走行レール１３及び第４の走行レール１４と、該第３の走行レール１３の一端部側に隣接して移動側レール部材本体１２に取り付けられた第３の走行ローラ１５と、第２の走行レール１４の他端部側に隣接して移動側レール部材本体１２に取り付けられた第４の走行ローラ１６と、前記第３の走行レール１３の中央よりも第３の走行ローラ１５側の位置に設けられたストッパーとなる第１のネジ１７と、前記第４の走行レール１４の中央よりも第４の走行ローラ１６側の位置に設けられたストッパーとなる第２のネジ１８とからなっている。第３，第４の走行ローラ７，８は合成樹脂で形成される。
【０００９】
第１の走行レール５は、一端部側に第１の走行ローラ７が設けられる切欠が形成され、また他端部側には、両方向引出用スライドレール１の中立状態時、第３の走行ローラ１５が落ち込むための切欠が形成されている。
第２の走行レール６は、他端部側に第２の走行ローラ８が設けられる切欠が形成され、また一端部側には、両方向引出用スライドレール１の中立状態時、第４の走行ローラ１６が落ち込むための切欠が形成されている。
補助レール９は、第１の走行ローラ７との間に第３の走行ローラ１５が走行可能な間隔をおいて第１、第２の走行レール５，６間に設けられている。
第３の走行レール１３は、一端部側に第３の走行ローラ１５が設けられる切欠が形成され、また他端部側には、両方向引出用スライドレール１の中立状態時、第１の走行ローラ７の上部が嵌り込むための切欠が形成されている。
第４の走行レール１４は、他端部側に第４の走行ローラ１６が設けられる切欠が形成され、また一端部側には、両方向引出用スライドレール１の中立状態時、第２の走行ローラ８の上部が嵌り込むための切欠が形成されている。
【００１０】
図２は、本実施形態による両方向引出用スライドレール１の中立位置（図２（ａ））、固定側レール部材２に対して移動側レール部材３を一方向側に移動させた状態（図２（ｂ））、および固定側レール部材２に対して移動側レール部材３を他方向側に移動させた状態（図２（ｃ））において、第１〜第４の走行レールおよび第１〜第４の走行ローラの位置関係を説明するための図である。
【００１１】
（中立状態（移動停止状態））
中立状態にあっては、図２（ａ）に示すように、固定側の第１の走行レール５の他端部側の切欠に、移動側の第３の走行ローラ１５が落ち込み、固定側の第２の走行レール６の一端部側の切欠に、移動側の第４の走行ローラ１６が落ち込み、固定側の第１の走行ローラ７の上部が移動側の第３の走行ローラ１５の切欠に嵌り込み、かつ固定側の第２の走行ローラ８の上部が移動側の第４の走行レール１４の切欠に嵌り込んでいる。この中立状態（移動停止状態）にあっては、各走行ローラが走行レール端部の切欠に落ち込むか嵌り込んでいるため、移動側レール部材３を長手方向に沿う両方向のいずれかの方向に引っ張るまでは、この中立状態が維持される。
【００１２】
（一方向への移動）
上記中立状態から、移動側レール部材３を長手方向に沿う一方向に向けて引っ張ると、第１の走行ローラ７に移動側の第３の走行レール１３が接すると共に、移動側の第３の走行ローラ１５が固定側の第１の走行レール５と補助レール９との間に入り、これら第１の走行ローラ７と第３の走行ローラ１５がそれぞれ接する走行レールをスムーズに走行する。この一方向への移動は、第３の走行レール１３に設けられた第１のネジ１７に第１の走行ローラ７が当接するまで可能であり、第１のネジ１７に第１の走行ローラ７が当接した時点で移動が停止される。
【００１３】
（他方向への移動）
上記中立状態から移動側レール部材３を長手方向に沿う他方向（上記一方向と反対）に向けて引っ張ると、第２の走行ローラ８に移動側の第４の走行レール１４が接すると共に、移動側の第４の走行ローラ１６が固定側の第２の走行レール６に接し、これら第２の走行ローラ８と第４の走行ローラ１６がそれぞれ接する走行レールをスムーズに走行する。この他方向への移動は、第４の走行レール１４に設けられた第２のネジ１８に第２の走行ローラ８が当接するまで可能であり、第２のネジ１８に第２の走行ローラ７が当接した時点で移動が停止される。
【００１４】
この両方向引出用スライドレール１は、簡単な構造でありながら、固定側レール部材２に対して移動側レール部材３を長手方向に沿って両方向に移動させることができ、両方向引出用スライドレール１を安価に提供できる。
【００１５】
図３は、上述した両方向引出用スライドレール１を用いた両方向引出付き収納装置を例示する図である。この両方向引出付き収納装置２０は、それぞれの下端に走行用車輪２３が取り付けられた垂直な四本の脚部２４と、それらを垂直に支持するための上台２５、下台２６及び中台２７とからなる収納装置本体２１と、上台２５下に固定された左右一対の固定側レール部材２に係合される移動側レール部材３を左右に固定した引出２２とからなっている。なお、中台２７や下台２６上に、同様の引出２２を多段に配置すること、または引出２２を左右に並べて配置するように構成することもできる。
【００１６】
この両方向引出付き収納装置２０は、上記両方向引出用スライドレール１を用いたものなので、前後に開閉可能な利便性に優れた引出を有する構造を安価に提供することができる。
【００１７】
【発明の効果】
本発明によれば、簡単な構造でありながら、固定側レール部材に対して移動側レール部材を長手方向に沿って両方向に移動させることができ、両方向引出用スライドレールを安価に提供できる。
また本発明によれば、前後に開閉可能な利便性に優れた引出を有する構造を安価に提供することができる。
【図面の簡単な説明】
【図１】本発明の両方向引出用スライドレールの一実施形態を示す斜視図である。
【図２】同じ両方向引出用スライドレールの走行レールと走行ローラとの関係を説明するための正面図である。
【図３】同じ両方向引出用スライドレールを用いた両方向引出付き収納装置を例示する斜視図である。
【符号の説明】
１　　両方向引出用スライドレール
２　　固定側レール部材
３　　移動側レール部材
４　　固定側レール部材本体
５　　第１の走行レール
６　　第２の走行レール
７　　第１の走行ローラ
８　　第２の走行ローラ
１２　移動側レール部材本体
１３　第３の走行レール
１４　第４の走行レール
１５　第３の走行ローラ
１６　第４の走行ローラ
２０　両方向引出付き収納装置
２１　収納装置本体
２２　引出
【図１】
2004049745.tif 000003
【図２】
2004049745.tif 000004
【図３】
2004049745.tif 000005